(57)【要約】【課題】  収穫する作物の周囲の土の解しと根切りを確実に行い、作物を引き抜き損なうことを防止すると共に、収穫した作物の根切り等の調製作業が容易に行える農作物収穫機を提供する。【解決手段】  機体フレーム１の前側に作物の茎葉部を引き起こす引起し装置６３を設け、引起し装置６３が引き起こした茎葉部を挟持して圃場から作物を引き抜く引抜搬送装置２０を設け、引抜搬送装置２０が引き抜く作物の周囲の土を解すと共に作物の根部を切断する土解し部材２９を設け、土解し部材２９を設ける回動アーム１０２を前後方向に回動自在に設け、回動アーム１０２に回動部材１００を設け、回動アーム１０２に揺動ケース１０７を設け、揺動ケース１０７に回動アーム１０２を前後方向に揺動させる揺動部材１０１を設け、回動部材１００と揺動部材１０１を動かすと、土解し部材２９が前後方向に回動しつつ揺動する構成とする。【選択図】図２
2014128209.tif 000002
【特許請求の範囲】
【請求項１】
機体フレーム（１）の前側に畝上に倒伏した作物の茎葉部を引き起こす引起し装置（６３）を設け、該引起し装置（６３）が引き起こした茎葉部を挟持して圃場から作物を引き抜く引抜搬送装置（２０）を設け、該引抜搬送装置（２０）が引き抜く作物の周囲の土を解すと共に作物の根部を切断する土解し部材（２９）を設け、該土解し部材（２９）を回動させる回動部材（１００）を設けると共に、該土解し部材（２９）を揺動させる揺動部材（１０１）を設けたことを特徴とする農作物収穫機。
【請求項２】
前記土解し部材（２９）を設ける回動アーム（１０２）を前後方向に回動自在に設け、該回動アーム（１０２）に前記回動部材（１００）を設け、該回動アーム（１０２）に揺動ケース（１０７）を設け、該揺動ケース（１０７）に回動アーム（１０２）を前後方向に揺動させる前記揺動部材（１０１）を設け、前記回動部材（１００）と揺動部材（１０１）を動かすと、前記土解し部材（２９）が前後方向に回動しつつ揺動することを特徴とする請求項１に記載の農作物収穫機。
【請求項３】
前記機体フレーム（１）に支持部材（１０８）を設け、該支持部材（１０８）に伸縮部材（１０９）を設け、前記揺動ケース（１０７）に土解し部材（２９）を上下動させる上下動アーム（１１１）を設け、該伸縮部材（１０９）と上下動アーム（１１１）を連結し、伸縮部材（１０９）を伸縮させると前記土解し部材（２９）が上下動することを特徴とする請求項１または２に記載の農作物収穫機。
【請求項４】
前記回動アーム（１０２）の上部に土解し部材（２９）の作業高さを示す高さマーカ（１１７）を設け、前記土解し部材（２９）の上下動に伴う該高さマーカ（１１７）の上下動を検知する上下動検知部材（１２０ｄ，１２０ｓ）を設け、収穫作業中に該上下動検知部材（１２０ｄ，１２０ｓ）の検知に合わせて前記伸縮部材（１０９）を伸縮させることを特徴とする請求項１から３の何れか１項に記載の農作物収穫機。
【請求項５】
前記上下動アーム（１１１）に圃場面に接触する接地部材（１１６）を設け、該接地部材（１１６）が圃場の凹凸で上下動すると回動する回動プレート（１１４）を設け、該回動プレート（１１４）の回動角度を検知する回動検知部材（１１３）を設け、該回動検知部材（１１３）が検知する回動角度の変化に合わせて前記伸縮部材（１０９）を伸縮させることを特徴とする請求項３または４に記載の農作物収穫機。
【請求項６】
前記深さ検知部材（１２０ｄ，１２０ｓ）または前記回動検知部材（１１３）が検知状態になると作動する該報知部材（１２２）を設けたことを特徴とする請求項４または５に記載の農作物収穫機。
【発明の詳細な説明】
【技術分野】
【０００１】
本発明は、振動ソイラで作物の周囲の土を解し、茎葉部を挟持して圃場から引き抜き収穫する農作物収穫機に関するものである。
【背景技術】
【０００２】
従来の農作物収穫機には、前後に往復揺動する土解しソイラで作物の周囲の土を解し、引抜搬送装置が作物を引き抜きやすくする技術が存在する。（特許文献１）
【先行技術文献】
【特許文献】
【０００３】
【特許文献１】特開２００４−２２２５１２号公報
【発明の概要】
【発明が解決しようとする課題】
【０００４】
しかしながら、特許文献１に記載された農作物収穫機では、畝の片側から作物の下方に進入する土解しソイラを、前後方向にのみ揺動させているので、畝を形成する土質等の影響により、土解しソイラの端部側が十分に揺動できず、土が十分に解れておらず、引抜搬送装置で引き抜けずに作物が圃場に残される問題がある。この作物は作業者が手作業で収穫する必要があり、作業者の費やす時間と労力が増大する問題がある。
【０００５】
そして、土解しソイラは作物の下部に生えている根部（ひげ根）に接触して除去するものでもあるが、土解しソイラの揺動量が不足すると根部の除去が十分に行えず、収穫された作物に残る茎葉部を除去する作業に要する時間と労力が増大する問題がある。
【０００６】
また、土解しソイラが作用する高さは作業者が手作業で調節する必要があり、圃場の凹凸等により土解しソイラの作用高さが変化する度に調節する必要があり、作業能率を低下させる問題がある。
【０００７】
土解しソイラの作用高さを変更せずに作業を続けると、土解しソイラに畝内の作物が接触し、作物が傷付いてしまい、作物の商品価値が低下する問題がある。
あるいは、土解しソイラが作物から下方に過度に離間してしまうと、作物の周囲の土が解れずに作物が圃場に抜き残されると共に、作物に根部が残されるので、作業者の手作業による作物の収穫、及び根部の除去に必要な労力と時間が増大する問題がある。
【０００８】
さらに、作業中は土解しソイラの大部分が土中に埋没するので、土解しソイラの深さを作業者が把握しにくく、適切な高さに調節することが困難である。
本発明は、この問題を解消しようとするものである。
【課題を解決するための手段】
【０００９】
請求項１に記載の発明は、機体フレーム（１）の前側に畝上に倒伏した作物の茎葉部を引き起こす引起し装置（６３）を設け、該引起し装置（６３）が引き起こした茎葉部を挟持して圃場から作物を引き抜く引抜搬送装置（２０）を設け、該引抜搬送装置（２０）が引き抜く作物の周囲の土を解すと共に作物の根部を切断する土解し部材（２９）を設け、該土解し部材（２９）を回動させる回動部材（１００）を設けると共に、該土解し部材（２９）を揺動させる揺動部材（１０１）を設けたことを特徴とする農作物収穫機とした。
【００１０】
請求項２に記載の発明は、前記土解し部材（２９）を設ける回動アーム（１０２）を前後方向に回動自在に設け、該回動アーム（１０２）に前記回動部材（１００）を設け、該回動アーム（１０２）に揺動ケース（１０７）を設け、該揺動ケース（１０７）に回動アーム（１０２）を前後方向に揺動させる前記揺動部材（１０１）を設け、前記回動部材（１００）と揺動部材（１０１）を動かすと、前記土解し部材（２９）が前後方向に回動しつつ揺動することを特徴とする請求項１に記載の農作物収穫機とした。
【００１１】
請求項３に記載の発明は、前記機体フレーム（１）に支持部材（１０８）を設け、該支持部材（１０８）に伸縮部材（１０９）を設け、前記揺動ケース（１０７）に土解し部材（２９）を上下動させる上下動アーム（１１１）を設け、該伸縮部材（１０９）と上下動アーム（１１１）を連結し、伸縮部材（１０９）を伸縮させると前記土解し部材（２９）が上下動することを特徴とする請求項１または２に記載の農作物収穫機とした。
【００１２】
請求項４に記載の発明は、前記回動アーム（１０２）の上部に土解し部材（２９）の作業高さを示す高さマーカ（１１７）を設け、前記土解し部材（２９）の上下動に伴う該高さマーカ（１１７）の上下動を検知する上下動検知部材（１２０ｄ，１２０ｓ）を設け、収穫作業中に該上下動検知部材（１２０ｄ，１２０ｓ）の検知に合わせて前記伸縮部材（１０９）を伸縮させることを特徴とする請求項１から３の何れか１項に記載の農作物収穫機とした。
【００１３】
請求項５に記載の発明は、前記上下動アーム（１１１）に圃場面に接触する接地部材（１１６）を設け、該接地部材（１１６）が圃場の凹凸で上下動すると回動する回動プレート（１１４）を設け、該回動プレート（１１４）の回動角度を検知する回動検知部材（１１３）を設け、該回動検知部材（１１３）が検知する回動角度の変化に合わせて前記伸縮部材（１０９）を伸縮させることを特徴とする請求項３または４に記載の農作物収穫機とした。
【００１４】
請求項６に記載の発明は、前記深さ検知部材（１２０ｄ，１２０ｓ）または前記回動検知部材（１１３）が検知状態になると作動する該報知部材（１２２）を設けたことを特徴とする請求項４または５に記載の農作物収穫機とした。
【発明の効果】
【００１５】
請求項１に記載の発明によれば、土解し部材（２９）を揺動部材（１０１）で往復揺動させると共に、回動部材（１００）で回動させることにより、土解し部材（２９）の基部から端部までを振動させて作物の周囲の土を解すことができるので、引抜搬送装置（２０）が作物を引き抜き損なうことが防止され、作業者が作物を手作業で収穫する必要が無く、労力が軽減される。
【００１６】
また、作物の根部に土解し部材（２９）が接触し易くなるので、収穫した作物に根部が残りにくくなり、根部の除去作業に要する時間と労力が軽減される。
さらに、土解し部材（２９）の回動動作と揺動動作が組み合わさることにより、畝土を解す範囲が広がると共に、根部との接触機会が増えるので、作物の引き抜き残しが減少すると共に、根部が残りにくくなる。
【００１７】
請求項２に記載の発明によれば、請求項１に記載の発明の効果に加えて、回動部材（１００）によって回動される回動アーム（１０２）に土解し部材（２９）の基部を設けたことにより、土の抵抗を受けやすい土解し部材（２９）の端部側の回動量を多くすることができるので、土解し部材（２９）の端部側に位置する作物の周囲の土が解れて引き抜き易くなり、圃場に残された作物を作業者が手作業で収穫する必要が無く、作業者の労力が軽減される。
【００１８】
また、土解し部材（２９）の端部側が、作物の根部に接触する機会を確保できるので、収穫される作物に根部が残りにくく、根部の除去作業に要する時間と労力が軽減される。
そして、揺動部材（１００）を揺動ケース（１０７）に設け、この揺動ケース（１０７）を回動アーム（１０２）に設けたことにより、回動アーム（１０２）は揺動ケース（１０７）を介して前後方向に揺動しながら回動することができるので、土解し部材（２９）が作物の周囲の土を解しつつ、作物の根部を除去することができ、作業能率の向上と作業労力の軽減が図られる。
【００１９】
請求項３に記載の発明によれば、請求項１または２記載の発明の効果に加えて、回動アーム（１０２）を上下動アーム（１１１）に設けると共に、この上下動アーム（１１１）を上下動させる伸縮部材（１０９）を設けたことにより、土解し部材（２９）の作業高さを簡単に変更することができるので、圃場の凹凸や畝の高さの変化により土解し部材（２９）の作業高さが変わっても、伸縮部材（１０９）を伸縮操作して作業高さを変更することが容易となる。
【００２０】
また、土解し部材（２９）が作物に接触することを防止できるので、作物が傷付いて商品価値が低下することが防止される。
さらに、土解し部材（１０９）が作物から過度に下方に離間することを防止できるので、作物の周囲の土が解れず、引抜搬送装置（２０）が作物を引き抜き損なうことが防止され、作業者が手作業で作物を収穫する労力が軽減される。
【００２１】
そして、根部が作物に残ったまま収穫されることを防止できるので、収穫後に根部を除去する作業に要する時間と労力が軽減される。
請求項４に記載の発明によれば、請求項１から３の何れか１項に記載の発明の効果に加えて、上下動検知部材（１２０ｄ，１２０ｓ）による高さマーカ（１１７）の上下動の検知に合わせて伸縮部材（１０９）が伸縮して土解し部材（２９）の作業高さを変更することにより、圃場の凹凸等により土解し部材（２９）の上下位置が大幅に変動すると自動的に作業高さが変更されることにより、作業者が手動で土解し部材（２９）の上下位置を調節する必要が無く、作業能率が向上する。
【００２２】
また、高さマーカ（１１７）を回動アーム（１０２）の上部に設けたことにより、作業者が土解し部材（２９）の作業高さを把握して作業することができるので、土解し部材（２９）を作物に接触させて傷付け、作物の商品価値を低下させることが防止されると共に、土解し部材（２９）が土解し作用や根切り作用ができない作業高さに位置することが防止される。
【００２３】
請求項５に記載の発明によれば、請求項３または４に記載の発明の効果に加えて、上下動アーム（１１１）に設ける接地部材（１１６）が圃場の凹凸により上下動し、回動プレート（１１４）の回動角度が変化したことを回動検知部材（１１３）が検知すると伸縮部材（１０９）が伸縮して土解し部材（２９）を上下動させることにより、作業者が手動で土解し部材（２９）の上下位置を調節する必要が無く、作業能率が向上する。
【００２４】
また、土解し部材（２９）が作物に接触することを防止できるので、作物が傷付いて商品価値が低下することが防止される。
そして、土解し部材（１０９）が作物から過度に下方に離間することを防止できるので、作物の周囲の土が解れず、引抜搬送装置（２０）が作物を引き抜き損なうことが防止され、作業者が手作業で作物を収穫する労力が軽減されると共に、根部が作物に残ったまま収穫されることを防止できるので、収穫後に根部を除去する作業に要する時間と労力が軽減される。
【００２５】
請求項６に記載の発明によれば、請求項４または５に記載の発明の効果に加えて、上下動検知部材（１２０ｄ，１２０ｓ）または回動検知部材（１１３）が土解し部材（２９）の作業高さの変化を検知すると報知部材（１２２）が作動することにより、作業者は土解し部材（２９）の作業高さが自動的に変更されたことを把握して作業を続けることができるので、不要なタイミングで土解し部材（２９）の高さ調節を行うことがなく、作業能率が向上する。
【図面の簡単な説明】
【００２６】
【図１】玉葱収穫機の側面図
【図２】玉葱収穫機の平面図
【図３】玉葱収穫機の正面図
【図４】振動ソイラの要部側面図
【図５】振動ソイラの要部平面図
【図６】振動ソイラの要部正面図
【図７】別構成例の玉葱収穫機の平面図
【図８】別構成例の玉葱収穫機の正面図
【図９】高さマーカを設けた振動ソイラの要部側面図
【図１０】高さマーカを設けた振動ソイラの要部正面図
【図１１】別構成例のソイラを示す要部正面図
【発明を実施するための最良の形態】
【００２７】
本発明の実施の形態について説明する。
図１から図６に示すのは、実施例の一つとして示す作物収穫機の一種である歩行型の玉葱収穫機である。本件発明では、機体の前進方向を基準として右側を左右一側、左側を左右他側と称するものとする。
【００２８】
図１から図３で示すとおり、機体フレーム１の後部にエンジン２とミッションケース３を内装する駆動ケース４を設け、該駆動ケース４の上部に燃料タンク５を設けるとともに、前部に分岐伝動ケース６を設ける。そして、該分岐伝動ケース６の前部に側面視「へ」の字形状の左右のハンドル支持フレーム７，７の基部を垂直姿勢で設け、該左右のハンドル支持フレーム７，７の屈曲部より上側を後上がり傾斜姿勢で配置し、該左右のハンドル支持フレーム７，７の後端部を平面視で「コ」の字形状のハンドル８で連結する。該ハンドル８は燃料タンク５よりも機体後方に突出させて配置し、該ハンドル８の左右両側にはサイドクラッチ機構（図示省略）を入切させるクラッチハンドル９，９を各々設ける。
【００２９】
さらに、図２で示すとおり、前記燃料タンク５の左右一側に機体の前後進及び走行速度を操作する走行操作レバー１０を設けるとともに、左右他側に収穫作業の入切を切り替える作業操作レバー１１を設ける。
【００３０】
そして、前記分岐伝動ケース６から前側上方に向かって左右の引抜駆動シャフト１２，１２を後下がり傾斜姿勢で設け、該左右の引抜駆動シャフト１２，１２の上端部に左右の引抜駆動プーリ１３，１３を各々装着するとともに、該左右一側の引抜駆動プーリ１３よりも下側に排葉駆動プーリ１４を装着する。また、前記左右の引抜駆動プーリ１３，１３の下部に前後方向の長辺を有する左右の引抜フレーム１５，１５を後上がり傾斜姿勢で各々設け、該左右の引抜フレーム１５，１５の前端部に左右の引抜従動プーリ１６，１６を各々回転自在に設ける。さらに、該左右の引抜従動プーリ１６，１６と左右の引抜駆動プーリ１３，１３の前後間に亘って複数の左右のテンションローラ１７，１７…を回転自在に設け、左右の引抜従動プーリ１６，１６と左右の引抜駆動プーリ１３，１３と左右のテンションローラ１７，１７…に玉葱の茎葉部を挟持して圃場から引き抜く左右の引抜搬送ベルト１８，１８を夫々巻回する。そして、前記左右の引抜フレーム１５，１５の上方に左右の引抜カバー１９，１９を左右の引抜フレーム１５，１５と平行姿勢、即ち傾斜角度を略同じとする後上がり傾斜姿勢で設けることにより、引抜搬送装置２０が構成される。
【００３１】
また、前記排葉駆動プーリ１４の下方に排葉フレーム２１の基部側を設け、該排葉フレーム２１の端部側を後側の左右一側に向けて突出させ、該排葉フレーム２１の端部側に排葉従動プーリ２２を回転自在に設ける。そして、該排葉駆動プーリ１４と排葉従動プーリ２２に排葉を引っ掛ける排葉ラグ２３ａ…を複数設けた排葉搬送ベルト２３を巻回するとともに、前記排葉フレーム２１の上方に排葉カバー２４を平行姿勢、即ち端部側を後側の左右一側に向けて突出させて配置することにより、排葉搬送装置２５が構成される。
【００３２】
上記構成としたことにより、後述する切断回転刃４９及び切断固定刃で切断した玉葱の茎葉部が引抜搬送装置２０の終端部まで移動すると、茎葉部は排葉ラグ２３ａ…に回収されて搬送され、機体左右一側に突出する排葉搬送装置２５の搬送終端部から機外、または後述する右側駆動輪８４Ｒ上に排出されるため、機体上に茎葉部が残ることが防止され、切断された茎葉部の除去作業が容易になり、メンテナンス性が向上する。
【００３３】
また、図１から図３、及び図４から図６に示すとおり、前記機体フレーム１の後側の左右一側に上下方向に長い支持プレート９９を設け、該支持プレート９９の上部に前記分岐伝動ケース６から左右一側に延出させた出力軸６ａの左右一側端部を貫通させる。そして、該支持プレート９９の左右一側、即ち機体外側に振動ソイラ２９を平面視で前後方向に回動させる回動ロッド１００の基部を設けると共に、該支持プレート９９の左右他側、即ち機体内側に振動ソイラ２９を機体前後方向に揺動させる揺動ロッド１０１の基部を設ける。
【００３４】
該回動ロッド１００は、前記出力軸６ａを挿し込む回動偏心カム１００ａと、該回動偏心カム１００ａに取り付ける前後方向の回動軸部１００ｂで構成すると共に、該回動軸部１００ｂの前端部にピローボール１００ｃを設ける。また、該揺動ロッド１０１は、前記出力軸６ａを挿し込む揺動偏心カム１０１ａと、機体前側の取付ボス１０１ｃの間に揺動軸部１０１ｂを設けて構成する。
【００３５】
そして、前記回動ロッド１００の前端部に設けるピローボール１００ｃを、上下方向のソイラ回動アーム１０２の上部に設ける回動プレート１０３に設ける。該回動プレート１０３は、ソイラ回動アーム１０２の上端部に着脱自在に、且つ装着時は回動プレート１０３が回動するとソイラ回動アーム１０２が連動して回動する構成とする。また、該回動プレート１０３の左右一側（機体外側）には回動連結ピン１０３ａを設け、該回動連結ピン１０３ａをピローボール１００ｃに差し込んで連結する。
【００３６】
これにより、回動ロッド１００は、出力軸６ａによって回転されると、揺動偏心カム１００ａの偏心回転によって前後方向に往復移動し、この前後の往復移動によってピローボール１００ｃと連結される回動プレート１０３が平面視で前後方向に往復回動し、回動プレート１０３の下部に設けられたソイラ回動アーム１０２を連動して前後方向に往復回動させる構成となる。
【００３７】
さらに、ソイラ回動アーム１０２の下部には、二又形状のソイラ支持アーム１０５を上下方向に設け、該ソイラ支持アーム１０５の二又部分に振動ソイラ２９の上部側を差し込み、ソイラ支持アーム１０５と振動ソイラ２９に各々形成した連結孔（図示省略）を合わせ、この連結孔にボルト・ナット等の固定部材２９ａを差し込んで振動ソイラ２９を固定する。該振動ソイラ２９は、下部側を引抜搬送域Ｒ側に屈曲させて正面視でＬ字形状（逆Ｌ字形状）に形成し、畝の側方から土中に進入させる構成としている。
【００３８】
なお、前記連結孔は、ソイラ支持アーム１０５または振動ソイラ２９のどちらか一方、または両方に上下方向に複数形成し、組み合わせる連結孔を変更することによって、振動ソイラ２９の作業高さを変更可能に構成すると、収穫する作物の上下長さや土中の埋没深さ、あるいはマルチフィルムの有無等の条件に合った適切な高さに設定することができ、収穫対象の作物を傷付けることなく土が解せるため、作物の品質が維持されると共に、作業能率が向上する。
【００３９】
なお、少なくともピローボール１００ｃと回動連結ピン１０３ａの連結部に、保護カバー（図示省略）を設け、連結部に茎葉部や砂を噛み込むことによる回動動作の停止や、噛み込んだ砂等によりピローボール１００ｃと回動連結ピン１０３ａが摩り減ることを防止する。
【００４０】
そして、前記ソイラ回動アーム１０２の外周部で且つ、前記回動プレート１０３とソイラ支持アーム１０５の上下間に、中空のソイラ揺動ケース１０７を設ける。該ソイラ揺動ケース１０７の機体内側の上端部側には、前記揺動ロッド１０１の取付ボス１０１ｃを挿し込む揺動連結ピン１０６を設ける。
【００４１】
なお、前記ソイラ揺動ケース１０７が揺動ロッド１０１により前後方向に移動させられているときでも、前記ソイラ回動アーム１０２は回動ロッド１００による回動プレート１０３の回動に連動して機体前後方向に往復回動できる構成とする。
【００４２】
これにより、揺動ロッド１０１は、出力軸６ａによって回転されると、揺動偏心カム１０１ａの偏心回転によって前後方向に往復移動し、ソイラ回動アーム１０２を前後方向に往復揺動させる構成となる。
【００４３】
上記の構成により、出力軸６ａが回転すると、回動ロッド１００が前後方向に往復移動され、この往復移動に伴いソイラ回動アーム１０２が平面視で前後方向に往復回動することにより、ソイラ支持アーム１０５に設けられた振動ソイラ２９を平面視で前後方向に回動させることができるので、振動ソイラ２９の基部側から端部側に亘って土を確実に掘り解すことができ、複数条の玉葱を引き抜く際に土が抵抗になることが防止され、作業能率が向上する。
【００４４】
特に、振動ソイラ２９の取付基部から機体内側方向に離れた位置に植生している玉葱、即ち畝の左右方向の中央寄りに植生している玉葱の周囲の土が解れやすくなるので、２条以上を同時に引き抜く作業においては、引抜作業能率が向上すると共に、玉葱の抜き残しが防止され、作業者が手作業で玉葱を収穫する時間と労力が軽減される。
【００４５】
加えて、振動ソイラ２９が左右一側のソイラ回動アーム１０２を支点として回動することにより、振動ソイラ２９の左右他側ほど回動量が多くなるので、土を解す前後幅が広くなり、土の掘り解しがいっそう確実に行われ、玉葱の引抜収穫作業の能率が向上する。
【００４６】
また、出力軸６ａが回転すると、揺動ロッド１０１が前後方向に往復移動されることにより、振動ソイラ２９を前後方向に揺動させることができるので、土の抵抗に負けることなく畝土が解され、玉葱が引き抜き損なわれることが防止され、作業者が玉葱を掘り取る作業が不要となり、作業者の労力が軽減される。
【００４７】
さらに、揺動ロッド１０１による振動ソイラ２９の前後方向の揺動と、回動ロッド１００による振動ソイラ２９の前後方向の回動が複合して行われることにより、複数条の玉葱の周辺の土を確実に解すことができるので、複数条の玉葱を引き抜き損なうことなく収穫することができ、作業能率が向上すると共に、作業者が抜き残された玉葱を手作業で収穫する必要が無く、時間と労力が軽減される。
【００４８】
なお、該振動ソイラ２９は、機体の前進に伴い畝の中に進入し、畝土を土中から解すものであり、土中に植生する玉葱に接触することを防止すべく、玉葱の下方を通過させるものである。振動ソイラ２９が玉葱の下方を通過することにより、玉葱の下部から土中に伸びている細いひげ根に振動ソイラ２９を接触させ、このひげ根を土を解す際に切断することができるので、収穫後の玉葱からひげ根を除去する作業の労力が軽減される。
【００４９】
しかしながら、従来の構成では、土質や玉葱の生育状態等により、土が解れにくいときには、振動ソイラ２９の取付基部から離れている畝の中央寄りに植生する玉葱の周囲では、振動ソイラ２９が殆ど前後に往復揺動していないので、土が解れにくく玉葱の引き抜き損ないが発生すると共に、ひげ根が切断されず、収穫後に多く残ったひげ根を除去しなければならず、除去作業に要する時間と労力が増加する問題がある。
【００５０】
玉葱のひげ根は、鱗茎下部の中央に細い根が無数に生えているものであるが、商品価値を有する可食部に近い位置に生えているので、可食部を傷付けずに切除するには精密な切断が必要となるので、多く残っているほど除去作業に要する時間と労力が増大する傾向にある。
【００５１】
本願構成では、振動ソイラ２９を回動ロッド１００によって平面視で前後方向に回動させる構成とし、ソイラ回動アーム１０２を支点として振動ソイラ２９の端部側が基部側よりも大幅に前後回動する構成としているので、振動ソイラ２９で畝の中央部寄りの土を掘り崩しながら玉葱のひげ根の除去が行えるため、収穫した玉葱からひげ根を除去する労力と時間の軽減が図られる。
【００５２】
また、本構成では、ソイラ回動アーム１０２の外周部にソイラ揺動ケース１０７を設け、揺動ロッド１０１がソイラ揺動ケース１０７を前後方向に往復移動させても、ソイラ回動アーム１０２は回動プレート１０３の回動に連動して回動する構成としたことにより、振動ソイラ２９の前後方向の往復揺動と前後方向の往復回動が互いの動作を妨げ、畝土の解しやひげ根の除去の能率が低下することを防止できる。
【００５３】
なお、前記振動ソイラ２９の作業高さは、ソイラ支持アーム１０５と振動ソイラ２９に各々形成した連結孔を合わせ、この連結孔にボルト・ナット等の固定部材２９ａを差し込んで振動ソイラ２９を固定することで調節できるが、畝の高さや玉葱の植生位置に合わせる際、大幅に上下位置を変える必要があると、上記の調節方法では対応し切れないことがある。
【００５４】
この問題を解消すべく、本件においては、図１、図２、図４及び図５で示す通り、前記機体フレーム１の後側の左右一側で且つ左右一側の駆動輪８４Ｒよりも左右他側に、下方に向けて調節支持プレート１０８を設け、該調節支持プレート１０８に上下調節シリンダ１０９の後側の端部を回動自在に取り付ける。該上下動調節シリンダ１０９の伸縮を操作する上下調節レバー（図示省略）は、前記走行操作レバー１０の近傍に設ける。そして、該上下調節シリンダ１０９の前側の端部を中継回動アーム１１０の下部に回動自在に設け、該中継回動アーム１１０の上部に上下調節アーム１１１の後側の端部を設けると共に、該上下調節アーム１１１の前側の端部を前記ソイラ揺動ケース１０７に連結する。
【００５５】
このとき、該上下調節アーム１１１の前側の端部は、振動ソイラ２９の上下調節量を大きく取るべく、ソイラ揺動ケース１０７の上下中央位置よりも下側で、且つソイラ支持アーム１０５よりも上方に設けるものとする。また、上下調節アーム１１１の前側の端部は、二又の分岐支持体１１１ａで構成し、該分岐支持体１１１ａの空間部にソイラ揺動ケース１０７を配置し、左右から調節回動軸１１２，１１２をソイラ揺動ケース１０７に接触させて回動可能に構成する。
【００５６】
これにより、前記上下調節シリンダ１０９を伸縮させると、中継回動アーム１１０が前後方向に回動すると共に、上下調節アーム１１１が連動して前後方向に移動してソイラ振動ケース１０７を上下動させる構成となる。
【００５７】
なお、前記上下調節シリンダ１０９は、電動式でも油圧式でもよいが、ハンドルを回すと伸縮する伸縮ロッド（図示省略）に置き換えると、操作に必要な労力は増加するものの、通電用のケーブルや送油用のパイプが不要になり、コストダウンを図ることができる。
【００５８】
上記により、畝の高さや玉葱が埋没している土中の深さに合わせて振動ソイラ２９の作用位置を適切に変更することができるので、振動ソイラ２９が土中の玉葱に接触して傷付けてしまうことが防止され、玉葱の商品価値が向上する。
【００５９】
また、振動ソイラ２９が玉葱から上下方向に離れ過ぎ、玉葱の周囲の土が解れず、玉葱が引き抜かれずに圃場に残ることを防止できるので、作業者が玉葱を手作業で収穫する必要が無く、作業者の労力が軽減される。
【００６０】
さらに、玉葱のひげ根が切断されないまま引抜収穫されることを防止できるので、収穫後の玉葱からひげ根を除去する作業に要する時間と労力の軽減が測られる。
上記の構成により、４条植えの作業条件においては、２条分の玉葱の周辺の土を解して引抜収穫しやすくすると共に、ひげ根を除去して収穫後の調製作業に要する労力を軽減することが可能となる。
【００６１】
そして、前記引抜搬送装置２０の前端部に設けた左右の引抜従動プーリ１６，１６の左右の回転軸１６ａ，１６ａの上端部を左右の引抜カバー１９，１９を貫通させて上方に突出させ、該左右の回転軸１６ａ，１６ａの上端部に左右の入力プーリ３１，３１を機体前側部分に内装した左右の伝動ケース３４，３４を後上がり傾斜姿勢で左右の引抜カバー１９，１９の上部に設ける。また、該左右の伝動ケース３４，３４の後側に左右の出力プーリ３２，３２を回転自在に各々内装するとともに、該左右の入力プーリ３１，３１と左右の出力プーリ３２，３２に左右の伝動ベルト３３，３３を各々巻回する。
【００６２】
そして、前記左右の出力プーリ３２，３２の上部側に左右の第１ユニバーサルジョイント３５，３５の下端部を装着し、該左右の第１ユニバーサルジョイント３５，３５の上端部に左右の横引起し駆動プーリ３６，３６を各々装着するとともに、該左右の横引起し駆動プーリ３６，３６を装着する左右の横引起しフレーム３７，３７を後上り傾斜姿勢で配置する。該左右の横引起しフレーム３７，３７の後上がり傾斜角度は、前記左右の引抜フレーム１５，１５の後上がり傾斜角度よりも大きく設定する。そして、該左右の横引起しフレーム３７，３７の下端部に左右の横引起し従動プーリ３８，３８を各々回転自在に設け、該左右の横引起し駆動プーリ３６，３６と左右の横引起し従動プーリ３８，３８の上下間に複数の横引起しテンションプーリ（図示省略）を設ける。さらに、左右の横引起し駆動プーリ３６，３６と左右の横引起し従動プーリ３８，３８と複数の横引起しテンションプーリにゴムやスポンジ等の弾性体で構成する複数の横引起しラグ３９ａ…を等間隔に設けた左右の横引起しベルト３９，３９を巻回し、該左右の横引起しベルト３９，３９の上方に前記左右の横引起しフレーム３７，３７と平行姿勢で左右の横引起しカバー４０，４０を各々設けることにより、横引起し装置４１が構成される。
【００６３】
なお、前記左右の横引起しベルト３９，３９に設けた横引起しラグ３９，３９…は、先端部同士が引抜搬送装置２０の引抜搬送域Ｒに近接するとともに互いに接触しない位置に配置する。
【００６４】
上記構成により、横引起しラグ３９ａ，３９ａ同士が接触することが防止されるので、接触の衝撃で引き起こし中の茎葉部が落下することが防止され、引抜搬送装置２０で確実に玉葱を圃場から引き抜くことができ、作業能率が向上する。
【００６５】
また、前記左右の出力プーリ３２，３２の下部側に左右の第２ユニバーサルジョイント４２，４２の上端部を設け、該第２ジョイント４２，４２の下端部に左右の肩揃え駆動プーリ４３，４３をそれぞれ設ける。そして、該左右の肩揃えプーリ４３，４３の上部及び下部に、左右の上部肩揃えフレーム４４，４４と左右の下部肩揃えフレーム４５，４５の前端部を設け、該左右の上部肩揃えフレーム４４，４４と左右の下部肩揃えフレーム４５，４５の後端部に左右の肩揃え従動プーリ４６，４６を各々回転自在に装着し、該左右の肩揃え駆動プーリ４３，４３と左右の肩揃え従動プーリ４６，４６に左右の肩揃えベルト５０，５０を無端状に巻回する。さらに、前記左右一側または左右他側の引抜駆動プーリ１３と左右の引抜従動プーリ１６の前後間に切断出力プーリ４７を回転自在に設け、該切断出力プーリ４７に設ける第３ユニバーサルジョイント４８の下端部に玉葱の茎葉部を切断する切断回転刃４９を着脱自在に設け、左右一側または左右他側の上部肩揃えフレーム４４上に切断固定刃（図示省略)を着脱自在に設けることにより、引抜搬送装置２０で搬送中の玉葱の上昇を下部肩揃えフレーム４５，４５で制限し、茎葉部の切断位置を所定位置に揃えてから切断する、肩揃え装置５１が構成される。
【００６６】
上記構成により、切断位置が所定位置に揃えられてから茎葉部が切断回転刃４９と切断固定刃に切断されるので、茎葉部が大きく切り残されて作業者が後から手作業で茎葉部を切断する作業が不要となるので、作業者の労力が軽減されるとともに、作業能率が向上する。
【００６７】
また、玉葱が持ち上げられ過ぎ、切断回転刃４９と切断固定刃が玉葱の球形部分、所謂可食部を切断することを防止できるので、玉葱が傷付くことがなく、玉葱の商品価値が維持される。
【００６８】
なお、該切断固定刃は引抜搬送域Ｒ上で切断回転刃４９と重なり合うことにより、玉葱の茎葉部を挟んで切断する構成となり、茎葉部を逃がすことなく切断することができるので、玉葱に茎葉部が切断されずに残り、作業者が手作業で残葉を切断する作業が不要となる。
【００６９】
ただし、玉葱の茎葉部切除する際、球形部分の近傍から切除すると商品価値を有する可食部が傷付き、品質や商品価値の低下を招くので、茎葉部の下端部側は僅かに切り残されるものとする。
【００７０】
また、切断回転刃４９と切断固定刃を着脱自在に設けたことにより、玉葱の乾燥作業を吊り下げて行うときは、茎葉部を切断することなく掘り起こすことができるので、作業条件の適応性の高い作物収穫機となる。
【００７１】
前記肩揃え装置５１の左右後部には、前記分岐伝動ケース６から駆動力を受けて回転する案内駆動プーリ５２，５２を設けた左右の案内駆動ケース５５，５５を後下がり傾斜姿勢で且つ後部側を上下回動自在に設け、該左右の案内駆動ケース５５，５５の後側下部に案内従動プーリ５３，５３を夫々回転自在に設け、該案内駆動プーリ５２，５２と案内従動プーリ５３，５３に案内ベルト５４，５４を巻回して、左右の案内装置５６，５６を形成している。
【００７２】
上記構成により、マルチフィルム等を畝上に敷設して玉葱を栽培しており、移植作業の際に形成する穴部の周縁部と茎葉部が絡み合い、玉葱の引抜収穫の際にマルチフィルムを一緒に持ち上げることがあっても、左右の案内装置５６，５６がマルチフィルム越しに玉葱に接触して後側下方に案内することができるので、玉葱が落下する際にマルチフィルムが極端に重なり合うことが防止され、マルチフィルムの除去作業が容易になるとともに、畝上に掘り起こした玉葱の回収作業が容易になる。
【００７３】
また、左右の案内装置５６，５６を後部側を上下方向に回動可能に構成したことにより、マルチフィルムを敷設しない露地栽培の玉葱を収穫するときなど左右の案内装置５６，５６が不要なときには案内作用部を機体フレーム１側に退避させることができるので、様々な作業条件に適応可能な作物収穫機となる。
【００７４】
上述のとおり、左右の案内装置５６，５６はマルチフィルムに接触し得るので、マルチフィルムの破損を防止すべく、左右の案内ベルト５４，５４はゴムよりもスポンジ等の摩擦力の弱い素材で構成することが望ましい。
【００７５】
前記分岐伝動ケース６の左右他側に第２分岐伝動ケース６ａを設け、該第２分岐伝動ケース６ａの前部から機体前方に向かって引起し出力軸５７を設け、該引起し出力軸５７の前端部に駆動力を左右他側から左右一側に向かう方向に変更するベベルケース５８ａを装着する。該ベベルケース５８ａの内部には、一対のベベルギア（図示省略）が内装されており、この一対のベベルギアを介して出力ケース内の引起し出力軸５７の駆動力を縦引起し伝動軸５８に伝達する。そして、該縦引起し伝動軸５８の左右一側端部と左右他側端部と左右方向の略中央部に縦引起し駆動プーリ５９，５９，５９を各々装着し、該縦引起し駆動プーリ５９，５９，５９の左右両側を覆う縦引起しカバー６０，６０，６０を後上がり傾斜姿勢で且つ上下回動自在に装着する。また、該縦引起しカバー６０，６０，６０の下端部に縦引起し従動プーリ６１，６１，６１を各々設け、該縦引起し駆動プーリ５９，５９，５９と縦引起し従動プーリ６１，６１，６１に圃場に倒伏している玉葱の茎葉部を引き起こす縦引起しラグ６２ａ…を複数設けた縦引起しベルト６２，６２，６２を巻回して、縦引起し装置６３を構成する。
【００７６】
なお、前記縦引起し装置６３の後上がり傾斜角度は、前記横引起し装置４１の後上がり傾斜角度と略同じ傾斜角度とする。これにより、縦引起し装置６３が引き起こした茎葉部が縦引起しラグ６２ａ…から離れるタイミングで横引き起こし装置４１の横引起しラグ３９ａ…に引き継がれるので、茎葉部を確実に引き起こして引抜搬送装置２０の搬送始端部に案内でき、玉葱の収穫作業能率の向上が図られる。
【００７７】
さらに、前記縦引起し伝動軸５８の左右一側端部にゲージ輪昇降ケース７０を設け、該ゲージ輪昇降ケース７０の下部に中空の上部アーム７１を設け、該上部アーム７１の中空部にゲージ輪７３を回転自在に装着する下部アーム７２を上下動自在に設ける。また、該上部アーム７１と下部アーム７２に、パンタグラフ機構７４の上下端部を各々設けると共に、前記駆動ケース４に固定プレート７５を設ける。そして、該固定プレート７５と前記ゲージ輪昇降ケース７０の後部の間に前後長の調節が可能なターンバックル７６を設け、該ターンバックル７６を伸張または収縮させて前記下部アーム７２を上下動させるゲージ輪調節ハンドル７７を設ける。
【００７８】
上記構成としたことにより、畝溝に垂れ下がっている収穫畝上の玉葱の茎葉部をゲージ輪７３が踏み付ける前に引き起こすことにより、縦引起し装置６３や横引起し装置４１が確実に玉葱の茎葉部を引き起こすことができるので、引き起こされた茎葉部を引抜搬送装置２０で挟持して土中から引き抜くことができ、作業者が手作業で残された玉葱を引き抜く作業が不要となり、作業者の労力が軽減される。
【００７９】
また、収穫畝上の玉葱の茎葉部と隣接畝上の玉葱の茎葉部が畝溝に垂れ下がって絡み合っていても、茎葉部同士を持ち上げて絡み合いを解くことができるので、隣接条の玉葱を半端に引き上げることが防止され、引抜搬送装置２０で確実に玉葱を引き抜くことが可能になる。
【００８０】
そして、ゲージ輪調節ハンドル７７を操作してゲージ輪７３を設けた下部アーム７２を上昇または下降させることにより、横引起し装置４１や引抜搬送装置２０の作用位置を玉葱の生育状態や畝の高さに合わせて変更することができるので、茎葉部の引き起こしや引抜搬送が確実に行われ、作業能率が向上する。
【００８１】
図１、図２で示すとおり、前記駆動ケース４の左右一側に右側出力軸７８Ｒを設け、該右側出力軸７８に走行駆動スプロケット７９を装着し、該走行駆動スプロケット７９を右側走行伝動ケース８０Ｒの上端側に内装する。そして、該右側走行伝動ケース８０Ｒを後上がり傾斜姿勢とし、機体前側に位置する右側走行伝動ケース８０Ｒの下端側に走行従動スプロケット８１を回転自在に内装し、該走行駆動スプロケット７９と走行従動スプロケット８１に走行伝動チェーン８２を巻回する。
【００８２】
なお、走行伝動チェーン８２の巻回域内にテンションスプロケットを設けたり、負荷がかかると走行伝動チェーン８２から退避して駆動を停止させて破損を防止するクラッチ機構を設けてもよい。
【００８３】
また、前記走行従動スプロケット８１に車軸８３を装着し、該車軸８３に右側駆動輪８４Ｒを設ける。さらに、前記右側走行伝動ケース８０Ｒの後側上端部に左右の支持プレート８５、８５を設け、該左右の支持プレート８５、８５と前記上部フレーム７１の後部との間に調節ロッド８６を回転自在に設け、該調節ロッド８６を回転させて右側走行伝動ケース８０Ｒの後上がり傾斜角度を変更するスイング調節ハンドル８７を装着する。該調節ロッド８６の前端部には、上部フレーム７１を前後回動自在に取り付ける。
【００８４】
上記構成によれば、スイング調節ハンドル８７を操作して右側走行伝動ケース８０Ｒの後上がり傾斜角度を変更すると、右側駆動輪８４Ｒの上下位置が変更されるため、傾斜地や畝が崩れた圃場で作業をするときは右側駆動輪８４Ｒの上下位置を変更して機体を圃場面に対して略水平姿勢とすることができるので、玉葱の茎葉部の引き起こしや玉葱の引き抜きが確実に行われるため、抜き残した玉葱を作業者が手作業で引き抜く作業が不要となり、作業者の労力が軽減される。
【００８５】
また、調節ロッド８６の前端部に上部フレーム７１を上下回動自在に装着したことにより、スイング調節ハンドル８７を操作して右側走行伝動ケース８０Ｒを上下回動させると上部フレーム７１が連動して前後回動するので、右側駆動輪８４Ｒの上下位置に連動してゲージ輪７３の接地高さを変更することができ、調節作業を容易に行えるとともに、縦引起し装置６３の茎葉部の引起し高さが自動的に適切な位置に調節されるので、引抜搬送作業が能率よく行われる。
【００８６】
一方、図２で示すとおり、機体左右他側の第２分岐伝動ケース６ａの左右他側端部に左側出力軸７８Ｌを左右方向にスライド自在に設け、該第２分岐伝動ケース６ａの後部に取付プレート８８を設け、該取付プレート８８と駆動ケース４とでトレッド調節シリンダ８９の固定側８９ａを支持する。そして、前記左側出力軸７８Ｌに走行駆動スプロケット７９を装着し、該走行駆動スプロケット７９を左側走行伝動ケース８０Ｌの上部に内装する。さらに、該左側走行伝動ケース８０Ｌを後上がり傾斜姿勢とし、機体前側に位置する左側走行伝動ケース８０Ｌの下端側に走行従動スプロケット８１を回転自在に内装し、該走行駆動スプロケット７９と走行従動スプロケット８１に走行伝動チェーン８２を巻回する。また、前記走行従動スプロケット８１に車軸８３を装着し、該車軸８３に左側駆動輪８４Ｌを設ける。
【００８７】
そして、前記トレッド調節シリンダ８９の移動側８９ｂを該左側走行伝動ケース８０Ｌの上端部に連結し、トレッド調節シリンダ８９を伸張させると移動部８９ｂと左側伝動軸７８Ｌが左右他側方向に移動して左側走行伝動ケース８０Ｌが機体フレーム１から離間し、右側駆動輪８４Ｒと左側駆動輪８４Ｌの左右間隔が広くなる構成とする。一方、前記トレッド調節シリンダ８９を収縮させたときは、移動部８９ｂと左側伝動軸７８Ｌが左右一側方向に移動して左側走行伝動ケース８０Ｌが機体フレーム１に接近し、右側駆動輪８４Ｒと左側駆動輪８４Ｌの左右間隔が狭くなる構成とする。
【００８８】
上記構成により、畝の左右幅に合わせて左側駆動輪８４Ｌの左右位置を変更することができるので、畝の左右幅の異なる圃場で作業をするときに左側駆動輪８４Ｌを畝上を移動させる必要が無く、安定した姿勢で玉葱の引抜収穫作業が行え、作業能率が向上する。
【００８９】
また、機体を軽トラック等の荷台に積み込むときや、倉庫等に収容する際には左右の駆動輪８４Ｌ，８４Ｒの左右間隔を限界まで狭くすることにより、機体の左右幅を短くすることができるので、機体の積み込み作業や収納作業が能率よく行える。
【００９０】
なお、前記右側駆動輪８４Ｒの内周部には、隣接条から垂れ下がっている玉葱の茎葉部がスポークや車軸８３に絡み付くことを防止するホイールカバー８４ａを着脱自在に設けると、茎葉部が絡み付いて隣接条の玉葱を引き抜いてしまい、引抜搬送装置２０で引抜収穫できなくなることが防止され、作業能率が向上する。
【００９１】
上記の構成の歩行型たまねぎ収穫機は、４条植えの圃場においては、左右一側の２条分の玉葱を引抜収穫し、畝の端で旋回し、左右他側の２条分の玉葱を引抜収穫することにより、１つの畝における収穫作業を完了させるものである。
【００９２】
これに対して、玉葱の引抜収穫作業をより高い効率で行うべく、一度の直進走行で４条全ての玉葱を引抜収穫し、畝端まで到達すると旋回して次の畝での引抜収穫を行う方式が考えられる。
【００９３】
歩行型たまねぎ収穫機を４条の引抜収穫に対応させるときは、図７、図８に示す通り、引抜搬送装置２０の側方にもう一つの引抜搬送装置２０を設け、このもう一つの引抜搬送装置２０の前部に横引起し装置４１を設けると共に、縦引起し伝動軸５８を左右方向に延長し、縦引起し装置６３を２つ、所定間隔を開けて該縦引起し伝動軸５８に装着して、上記の縦引起し装置６３，６３が引き起こした玉葱の茎葉部が横引起し装置４１に引き継がれると共に、引抜搬送装置２０の引抜搬送域Ｒに移動させる構成とする。
【００９４】
このとき、前記縦引起し伝動軸５８に駆動力を伝動する引起し出力軸５７は、分岐伝動ケース６の機体左右他側に設けると共に、該引起し出力軸５７から駆動力を受けるベベルケース５８ａは、最も機体左右他側に設けられる縦引起し装置６３と左側の駆動輪８４Ｌの左右間に設ける。また、機体左右他側にも前述のゲージ輪７３の上下調節機構及びスイング調節機構を設け、機体左右他側の後部にゲージ輪調節ハンドル７７とスイング調節ハンドル８７を設ける。
【００９５】
なお、引抜搬送装置２０の搬送終端部から茎葉部を畝溝に排出する排葉搬送装置２５は、機体左右一側に設けるものとは反対側、即ち機体左右他側の畝溝に茎葉部を排出する搬送方向で配置している。
【００９６】
また、前記機体左右他側の引抜搬送装置２０の下方には、搬送されている玉葱の茎葉部の切断位置を揃えて切断する肩揃え装置５１を設け、機体左右一側と同じく茎葉部を所定位置で圃場面に排出していく構成とする。
【００９７】
さらに、機体左右他側にも支持プレート９９を設け、該支持プレート９９の上部に出力軸６ａの左右他側を貫通させ、該支持プレート９９の機体左右他側、即ち機体外側に前記回動ロッド１００を設け、該支持プレート９９の機体左右一側、即ち機体内側に前記揺動ロッド１０１を設け、回動ロッド１００をソイラ回動アーム１０２に、揺動ロッド１０１ソイラ揺動ケース１０７に取り付けて、ソイラ回動アーム１０２の下部に設けるソイラ支持アーム１０５の下部に上下位置調節自在に設ける左右他側の振動ソイラ２９を、機体前後方向に往復揺動させると共に、振動ソイラ２９の端部側、即ち畝の左右方向中央部側が基部側よりも大きく前後に往復回動する構成とする。
【００９８】
また、前記機体フレーム１の後側の左右他側で且つ左右他側の駆動輪８４Ｒよりも左右他側に、下方に向けて調節支持プレート１０８を設け、該調節支持プレート１０８に上下調節シリンダ１０９の後側の端部を回動自在に取り付けると共に、該上下調節シリンダ１０９の前側の端部を中継回動アーム１１０の下部に回動自在に設け、該中継回動アーム１１０の上部に上下調節アーム１１１の後側の端部を設けると共に、該上下調節アーム１１１の前側の端部を前記ソイラ揺動ケース１０７に連結して、左右他側の振動ソイラ２９の上下作用位置を調節可能に構成する。このとき、機体左右他側の上下調節シリンダ１０９の上下調節レバーは、機体左右他側寄りに配置される、作業操作レバー１１の近傍に配置する。
【００９９】
なお、上記の構成では、左右の駆動輪８４Ｌ，８４Ｒはトレッド調節シリンダ８９を最大伸張させた位置に配置され、慣例的な玉葱の４条植えの畝の左右両側に形成される畝溝上を走行するものとする。４条を同時に収穫する作業機とするときは、トレッド調節シリンダ８９を廃し、分岐伝動ケース６の左右幅を左右方向に延長して伝動可能に構成してもよい。
【０１００】
上記構成としたことにより、畝に沿って一度直進走行すると、４条分の玉葱が一斉に圃場から引き抜かれ、茎葉部を切断された状態で圃場面に放出されていくので、圃場端で旋回すると次の畝で作業を行えるため、旋回回数が減少し、作業能率が向上する。
【０１０１】
また、左右のゲージ輪７３，７３を左右のゲージ輪調節ハンドル７７，７７とスイング調節ハンドル８７，８７とで各々調節することができるので、畝の高さや畝溝の深さが左右で異なっているときでも、茎葉部を引き起こして左右の引抜搬送装置２０，２０の引抜搬送域Ｒに送り込むことができるので、４条分の玉葱の引き抜き損ないが減少し、作業者が手作業で玉葱を収穫する作業が不要となる。
【０１０２】
土中に植生する玉葱は、苗の移植作業時の設定によりある程度決まった深さに位置するが、畝は形成作業や、その後の風雨等の影響で全体で高さが異なるので、上記の２条引抜、４条引抜のいずれにおいても、振動ソイラ２９の上下高さを変更しないと、土が十分に解れない、根が多く残る等の問題が一部で生じる可能性がある。
【０１０３】
なお、下記の構成の説明は、２条ずつ引抜作業を行う玉葱収穫機に基づき説明するものであるが、４条の引抜作業を行う玉葱収穫機については、機体左右他側に同一の部材を同一の構成で配置すると、対応できるものである。
【０１０４】
上記の問題を防止すべく、図９、図１０で示す通り、前記上下調節アーム１１１の機体前部で且つ二又の分岐支持体１１１ａよりも後側に、振動ソイラ２９の上下位置を検知するポテンショメータ１１３を設けた検知回動アーム１１４を設け、該検知回動アーム１１４の回動支点である左右方向の回動軸１１５の下方に、圃場面に接地する接地回転体１１６を設ける。該接地回転体１１６は、接地抵抗により回転するローラ１１６ａと、該ローラ１１６ａが圃場の凹凸を通過する際、ローラ１１６ａを上下動させて前記検知回動アーム１１４を上下回動させるスプリング１１６ｂで構成し、微細な圃場の凹凸は該スプリング１１６ｂによって無視し、大きな圃場の凹凸は該スプリング１１６ｂの伸縮によって過度の抵抗がかかり破損することを防止する構成としている。
【０１０５】
前記ポテンショメータ１１３が検知する回動検知アーム１１４の回動角度が変化すると、角度の変化量に合わせて前記上下調節シリンダ１０９が伸張または収縮し、上下調節アーム１１１を上下回動させて振動ソイラ２９の上下位置を微調整する構成とする。
【０１０６】
そして、前記回動プレート１０３の上部に、前記振動ソイラ２９の上下位置を示す上下方向のソイラ高さマーカ１１７を設け、前記回動検知アーム１１４の回動軸１１５の上部に、該ソイラ高さマーカ１１７の姿勢を支持すると共に、圃場面からの基準高さを示すインジケータ１１８を上下方向に設ける。該インジケータ１１８は、側面視で上端部を機体前側に折り曲げ部１１８ａを形成したＬ字形状であり、この折り曲げ部１１８ａにはＵ字形状の空間部が形成してあり、この空間部から前記ソイラ高さマーカ１１７の上部側が露出する構成とする。該ソイラ高さマーカ１１７の上部側には複数の目盛りを付しておき、前記インジケータ１１８の上端部から突出した長さから、作業者が振動ソイラ２９の作業深さを読み取る構成とする。
【０１０７】
また、前記インジケータ１１８の上端部側に上下方向の長孔１１９を形成し、該長孔１１９に少なくとも２つの深さ検知センサ１２０ｄ，１２０ｓを設ける。該深さ検知センサ１２０ｄ，１２０ｓは光電センサや近接センサで構成するものであり、前記インジケータ１１８の前側に長孔１１９に沿って上下方向に移動自在に設け、該インジケータ１１８の後側に深さ検知センサ１２０ｄ，１２０ｓの移動を規制する蝶ボルト等の固定部材を設けて、各々の上下位置を調節自在に配置する。
【０１０８】
なお、一方の深さ検知センサ１２０ｄは振動ソイラ２９の作業高さが「深い」側にあることを検知し、他方の深さ検知センサ１２０ｓは振動ソイラ２９の作業高さが「浅い」であることを検知するものであるので、長孔１１９には深さ検知センサ１２０ｄ，１２０ｓの上下移動範囲を規制する仕切板を設けると、検知位置の設定が行いやすくなる。
【０１０９】
また、上記では２つの深さ検知センサ１２０ｄ，１２０ｓで「浅い」「深い」を検知する構成としているが、深さ検知センサを３つ以上設けて、より細かく深さを検知する構成としてもよい。
【０１１０】
そして、前記インジケータ１１８の前側で且つ折り曲げ部１１８ａの下方で、前記深さ検知センサ１２０ｄ，１２０ｓが振動ソイラ２９の深度を認識する被検知リング１２１を前記ソイラ高さマーカ１１７に取り付ける。玉葱の引抜収穫作業中に、前記深さ検知センサ１２０ｄ，１２０ｓのどちらかが該被検知リング１２１を検知すると、前記上下調節シリンダ１０９を所定量伸張または収縮させ、上下調節アーム１１１を上方または下方に回動させて、振動ソイラ２９の上下位置を調節する構成とする。
【０１１１】
なお、走行が停止している、または引抜搬送装置２０や縦引起し装置６３等が停止しているときには、前記深さ検知センサ１２０ｄ，１２０ｓが被検知リング１２１を検知しても、上下調節シリンダ１０９を伸縮させない構成とする。上記の判断は、走行操作レバー１０や作業操作レバー１１の操作位置で判断するものとする。
【０１１２】
前記ソイラ高さマーカ１１７は、ワイヤー等の屈曲性のある金属を塩化ビニル等の樹脂でコーティングしたものや、ゴムや合成樹脂等で構成する弾性材料で構成し、前記インジケータ１１８と接触しても屈曲することで双方の破損を防止できる構成とする。また、該ソイラ高さマーカ１１７の上端部には、前記深さ検知センサ１２０ｄ，１２０ｓのどちらかが検知状態になったときに点灯、または点滅して検知を作業者に視覚的に通知する、ＬＥＤ等の検知灯１２２を設ける。
【０１１３】
また、該検知灯１２２の点灯や点滅は、前記検知回動アーム１１４の回動角度を検知するポテンショメータ１１３が、回動角度の変化を検知し、上下調節シリンダ１０９を伸縮させる際にも作動するものとする。このとき、検知灯１２２を上下２段に設け、上段が深さ検知センサ１２０ｄ，１２０ｓが被検知リング１２２の検知時に点灯し、下段がポテンショメータ１１３の角度変化の検知時に点灯する構成とすると、作業者はどの高さ制御が行なわれているかを把握しやすくなる。あるいは、一つの検知灯１２２の点滅パターンを異ならせてもよい。
【０１１４】
なお、該検知灯１２２への通電は、ソイラ高さマーカ１１７に沿ってケーブルを配置する方式以外に、ソイラ高さマーカ１１７を構成するワイヤーを用いる方式としてもよい。このとき、ワイヤーは絶縁性の高いゴムや合成樹脂によるコーティングまたはカバーを設けて、通電部が露出しない構成とする。
【０１１５】
上記構成により、上下調節シリンダ１０９を伸縮させて振動ソイラ２９の上下位置を変更する際、作業者はインジケータ１１８とソイラ高さマーカ１１７の位置関係を見ながらどの程度上下移動させているかを把握することができるので、振動ソイラ２９の作業高さ調節が容易になり、玉葱の周辺の土を確実に解して引抜収穫しやすくすると共に、玉葱のひげ根が切断されやすくなり、収穫後の調製作業に要する時間と労力が軽減される。
【０１１６】
また、接地回転体１１６を圃場面に接触させ、凹凸によりポテンショメータ１１３が検知する回動検知アーム１１４の角度が変化すると、上下調節シリンダ１０９が伸縮して振動ソイラ２９の上下位置を微細に変化させることにより、圃場の凹凸による振動ソイラ２９の作用位置を適切な位置に合わせることができるので、振動ソイラ２９が玉葱に接触して玉葱を傷付けることが防止され、玉葱の商品価値の低下が防止される。
【０１１７】
一方、振動ソイラ２９が玉葱から下方に離れ過ぎることを防止できるので、収穫作業時にひげ根が切断されやすくなり、収穫後の調製作業に要する時間と労力が軽減される。
また、深さ検知センサ１２０ｄ，１２０ｓのどちらか一方が被検知リング１２１を検知するほどの大きな凹凸があるとき、深さ検知センサ１２０ｄ，１２０ｓが被検知リング１２１を検知すると同時に上下調節シリンダ１０９を伸縮させ、振動ソイラ２９の作業高さを「浅い」側、または「深い」側に移動させることができるので、大幅な振動ソイラ２９の作業高さの変更が必要な状況でも作業高さを適切な位置に自動調節できることにより、玉葱が傷付いて商品価値が低下することが防止されると共に、収穫後の調製作業が容易に行える。
【０１１８】
なお、深さ検知センサ１２０ｄ，１２０ｓが検知状態になると、ポテンショメータ１１３が検知する回動検知アーム１１４の角度変化による上下調節シリンダ１０９の動作に優先して、上下調節シリンダ１０９の伸縮が行われる制御構成とする。
【０１１９】
さらに、深さ検知センサ１２０ｄ，１２０ｓが検知状態になると、検知灯１２２が点灯、または点滅して検知状態を作業者が視覚的に認識できることにより、作業者は振動ソイラ２９の上下位置が自動調節されていることを把握して引抜収穫作業ができるので、上下調節レバーを不要なタイミングで操作することが無くなり、作業能率が向上する。
【０１２０】
上記において、振動ソイラ２９の形状は正面視Ｌ字形状としているが、図１１に示す通り、前記ソイラ支持アーム１０５に取り付ける上下方向の取付部２９ｚと、玉葱の下方に進入して土を解すと共にひげ根を除去する左右方向の作用部２９ｙの間に、正面視Ｖ字形状の屈曲部２９ｘを形成する。
【０１２１】
該屈曲部２９ｘは、前記取付部２９ｚから機体左右他側に向かって２０〜３０度傾斜する上下傾斜部２９ｗと、該上下傾斜部２９ｗの下端部から前記作用部２９ｙの機体左右一側端部に向かって上方傾斜する左右傾斜部２９ｖからなる。上記の形状は、振動ソイラ２９を曲げ加工して形成するものである。
【０１２２】
また、振動ソイラ２９が土中に食い込みやすくすべく、平面視において振動ソイラ２９を機体外側端部から機体内側端部に向かって５度程度後退させる構成とする。この後退角は、前記左右傾斜部２９ｖを形成する際に平面視で機体後側に端部を向けて形成する。
【０１２３】
さらに、前記上下傾斜部２９ｗを形成する際、上下傾斜部２９ｗの端部が機体前側を向く方向に曲げ加工することにより、振動ソイラ２９の基部側が先行して土中に進入する構成となる。
【０１２４】
上記構成により、振動ソイラ２９の上下傾斜部２９ｗと左右傾斜部２９ｖの境界、即ち屈曲部２９ｘが部分が先行して畝に進入すると共に、作用部２９ｙを後退姿勢で畝土内を移動するので、土の抵抗による振動ソイラ２９の解し作用やひげ根切り作用の低下が防止され、作業能率が向上すると共に、収穫後の調製作業に要する時間と労力が軽減される。
【０１２５】
また、畝の側面下部から振動ソイラ２９を進入させることができるので、敷設されているマルチフィルムの下方から土を解すことができるので、玉葱を圃場から掘り抜いた後マルチフィルムを回収する作業が行えるようになり、作業対応性が幅広くなる。
【符号の説明】
【０１２６】
１        機体フレーム
２０      引抜搬送装置
２９      振動ソイラ（土解し部材）
６３      縦引起し装置（引起し装置）
１００    回動ロッド（回動部材）
１０１    揺動ロッド（揺動部材）
１０２    ソイラ回動アーム（回動アーム）
１０７    ソイラ揺動ケース（揺動ケース）
１０８    調節支持プレート（支持部材）
１０９    上下調節シリンダ（伸縮部材）
１１１    上下調節アーム（上下動アーム）
１１３    ポテンショメータ（回動検知部材）
１１４    検知回動アーム（回動プレート）
１１６    接地回転体（接地部材）
１２０ｄ  深さセンサ（上下動検知部材）
１２０ｓ  深さセンサ（上下動検知部材）
１２２    検知灯（検知部材）
【図１】
2014128209.tif 000003
【図２】
2014128209.tif 000004
【図３】
2014128209.tif 000005
【図４】
2014128209.tif 000006
【図５】
2014128209.tif 000007
【図６】
2014128209.tif 000008
【図７】
2014128209.tif 000009
【図８】
2014128209.tif 000010
【図９】
2014128209.tif 000011
【図１０】
2014128209.tif 000012
【図１１】
2014128209.tif 000013